(57)【要約】      （修正有）【課題】低コストかつ簡易の作業で、しかも短期間で芝生の発芽を促進させ、芝密度を維持できる装置を提供する。【解決手段】外周面に複数の突起５ａ，７ａを備え車両の牽引によって回転する円柱状のローラ５，７であって、前記ローラの回転に伴い前記突起が芝の種子１１が存在する土壌に穴を穿設し、芝の種子の発芽を促進する芝の種子発芽促進装置の構成とした。また前記突起を着脱式としてもよく、さらに前記ローラが前ローラと後ローラの２つのローラからなり、前記裏ローラの突起が前記前ローラの突起の間に位置する芝の種子発芽促進装置の構成とした。【選択図】図１
0003166720.tif 000002
【実用新案登録請求の範囲】
【請求項１】
外周面に複数の突起を備え車両の牽引によって回転する円柱状のローラであって、
前記ローラの回転に伴い前記突起が芝の種子が存在する土壌に穴を穿設し、芝の種子の発芽を促進することを特徴とする芝の種子発芽促進装置。
【請求項２】
前記突起が着脱式であることを特徴とする請求項１に記載の芝の種子発芽促進装置。
【請求項３】
前記ローラが内筒と前記内筒外周に分割固定されるカバーとからなり、前記カバーには第一貫通孔が穿設され、前記突起は前記第一貫通孔より径の大きい頭と前記第一貫通孔に挿通するピン部とからなり、前記頭部が前記内筒と前記カバーの間に位置することを特徴とする請求項１又は請求項２に記載の芝の種子発芽促進装置。
【請求項４】
前記ローラが前ローラと後ローラの２つのローラからなり、前記裏ローラの突起が前記前ローラの突起の間に位置することを特徴とすることを特徴とする請求項１〜請求項３のいずれか１項に記載の芝の種子発芽促進装置。
【請求項５】
前記前後ローラの間に芝の種子を播種するタンクを備えることを特徴とする請求項４に記載の芝の種子発芽促進装置。
【請求項６】
前記前後ローラの突起の長さが異なることを特徴とする請求項４又は請求項５に記載の芝の種子発芽促進装置。
【請求項７】
前記突起が、先端に向け段階的に細くなることを特徴とする請求項６に記載の芝の種子発芽促進装置。
【請求項８】
前記ローラへの加重が、可変であることを特徴とする請求項１〜７のいずれか１項に記載の芝の種子発芽促進装置。
【考案の詳細な説明】
【技術分野】
【０００１】
本考案は、ゴルフ場、運動場などの芝生が高温環境などで枯れ込み、芝の生育密度が低下した部分を処理して、芝生の種子の発芽を促進させる芝の種子発芽促進装置に関する。
【背景技術】
【０００２】
芝生、特に、ゴルフ場においては、夏の高温で枯れ込み、芝の生育密度が低下することがしばしば起こる。芝が枯れ込んだ場合、芝の生育密度が低下した部分に単に水を散布し、或いは芝の種子を追加播種して水を散布しても、芝の生育密度の回復、維持は困難であった。また、芝生を張り替えるには、時間とコストがかかり、場合によってはコースをクローズしなければならなかった。
【０００３】
他方、特許文献１のように、グリーンの芝の生育を促進させる技術もあるが、極めて煩雑である。
【０００４】
ゴルフ場、特に、グリーンにおいて芝の枯れ込みが起こると、プレーヤーに倦厭され、さらに営業に支障をきたすことになり、芝の生育密度の維持、短期回復は、ゴルフ場の経営にとっては、極めて重大な関心事である。
【先行技術文献】
【特許文献】
【０００５】
【特許文献１】特開２００２−１１９１２９号公報
【考案の概要】
【考案が解決しようとする課題】
【０００６】
そこで、本考案は、低コストかつ簡易の作業で、しかも短期間で芝生の発芽を促進させ、芝密度を維持できる装置を提供することを目的とする。
【課題を解決するための手段】
【０００７】
本考案は、上記課題を解決するために、外周面に複数の突起を備え車両の牽引によって回転する円柱状のローラであって、前記ローラの回転に伴い前記突起が芝の種子が存在する土壌に穴を穿設し、芝の種子の発芽を促進することを特徴とする芝の種子発芽促進装置の構成とした。前記突起が着脱式であることを特徴とする前記記載の芝の種子発芽促進装置の構成とした。前記ローラが内筒と前記内筒外周に分割固定されるカバーとからなり、前記カバーには第一貫通孔が穿設され、前記突起は前記第一貫通孔より径の大きい頭と前記第一貫通孔に挿通するピン部とからなり、前記頭部が前記内筒と前記カバーの間に位置することを特徴とする前記いずれかに記載の芝の種子発芽促進装置の構成とした。
【０００８】
また、前記ローラが前ローラと後ローラの２つのローラからなり、前記裏ローラの突起が前記前ローラの突起の間に位置することを特徴とすることを特徴とする前記いずれかに記載の芝の種子発芽促進装置の構成とした。前記前後ローラの間に芝の種子を播種するタンクを備えることを特徴とする前記記載の芝の種子発芽促進装置の構成とした。前記前後ローラの突起の長さが異なることを特徴とする前記いずれかに記載の芝の種子発芽促進装置の構成とした。前記突起が、先端に向け段階的に細くなることを特徴とする前記記載の芝の種子発芽促進装置の構成とした。
【０００９】
そして、前記ローラへの加重が、可変であることを特徴とする前記いずれかに記載の芝の種子発芽促進装置の構成とした。
【考案の効果】
【００１０】
本考案は、上記構成であるので次の効果を発揮する。芝の種子は、一端播種すると全てが発芽するものではなく、発芽しない状態で長期間発芽能力を失うことなく、播種地に存在する。そこで、種子の発芽を促すために、突起で播種地に埋設する。すると、発芽環境に移動した種子が発芽することとなり、種子の播種を同時に行わなくとも、単に穿設処理すれば、芝の生育密度を回復、維持することができる。そのために、ローラに突起を設けた本考案の芝の種子発芽促進装置は、低コストかつ簡易で、しかも芝密度の短期回復、維持が可能になる。
【００１１】
突起を着脱式にすれば、破損した突起ものを容易に交換することができ、好適な突起のものに容易に交換することができる便利である。例えば、図２の方式であれば、ローラに突起の数分ネジ穴を穿設することなく、単なる貫通孔を穿設すればよいので、製造も容易である。
【図面の簡単な説明】
【００１２】
【図１】本考案である芝の発芽促進装置の一例の側面模式図である。
【図２】前ローラの一例の断面図模式図である。
【図３】突起の配置を示す前後ローラの部分平面図である。
【図４】処理後のグリーン表面部の拡大断面図模式図である。
【図５】前後ローラを備える芝の種子発芽促進装置で芝の種子を同時播種することなく芝の枯れ込みが著しいグリーンを発芽促進処理した結果を示す写真である。
【図６】前後ローラを備える芝の種子発芽促進装置で芝の種子を同時播種してグリーンを発芽促進処理した結果を示す写真である。
【考案を実施するための形態】
【００１３】
以下、添付図面に基づいて、本考案について詳細に説明する。
【実施例１】
【００１４】
図１に示すように、本考案の一例である芝の発芽促進装置１は、四角形状のフレーム２から垂下する前後の軸受け４、６に回転可能に保持された軸４ａ、６ａを介して回転可能な円柱状の前ローラ５、後ローラ７を備える。そして、前後ローラ５、７の外周面には、複数の突起５ａ、７ａを備える。
【００１５】
フレーム２は直接、或いは図１のように、連結フレーム２ａ等を介して、牽引車両に接続する。図１では、フレーム２に斜めに立設した連結フレーム２ａと連結フレーム２ａに回動可能に保持された軸２ｄに接続する第一連結部材２ｃと、フレーム２の立設部に回動可能に保持された軸２ｆに接続する第二連結部材２ｅを介して、フレーム２はトラクターなどの牽引車両に接続する。
【００１６】
フレーム２は牽引車両に接続され牽引されることで前後ローラ５、７は回転し、突起５ａ、７ａが、土壌、例えばゴルフ場のグリーン１０に穴を空けることで、芝の種子の発芽を促進する。本考案は、その他、芝を生育する環境に使用でき、例えば、ゴルフ場のフェアウエイ、サッカー場などが例示できる。
【００１７】
発芽促進装置１には、必要に応じて、芝の種子１１を貯留し、播種する蓋８ａ付きのタンク８を備えてもよい。その場合には、前後ローラ５、７の間に位置するとよい。前ローラ５の突起５ａで穴をあけその穴に種子１１が入ることもあり、さらに突起５ａで穿設された穴に入らなかった種子１１を後ローラ７の突起で土壌中に押し込むこともできる。タンク８の搭載、播種手段は問わないが、図１では、フレーム２の間に係止した上で、側面を連結フレーム２ａにバー２ｂで固定した。
【００１８】
さらに、フレーム２には、プレート３を渡し、そのプレート３の上に重し９を載せ、前後ローラ５、７への加重を可変にすることもできる。突起５ａ、７ａ穿孔深度を可変にすることも、凹凸がある地面への処理でも一定の深さに突起５ａ、７ａを刺すことができる。
【００１９】
それらを採用することで、本考案である芝の種子発芽促進装置は、芝の種子１１を異なる深度に位置させることができる。その結果、発芽時期に好適な種子１１から発芽を開始し、季節、環境変化に伴い順次発芽することができる。また、次回の穴あけ処理により種子が発芽することもある。特に穴に落ちた種子がよく発芽する。
【００２０】
ローラ５、７の突起５ａ、７ａの形状は、円柱、四角柱、円錐、三角錐、円柱と円錐或いは三角錐等を組み合わせたもの、段階的に先端に向け細くなるもの、筒等種々の形状、長さ、太さ（断面の円の直径、四角形の長さ三角形の高さ、）が採用できる。突起の長さは好ましくは３ｍｍ〜５０ｍｍで、より好ましくは３〜２０ｍｍである。一方、好適な突起の太さは３ｍｍ〜１５ｍｍである。突起が細すぎると種子の埋設が起こりづらく、太すぎると目土が多量に必要になり、将来処理部が押し固められ排水性が低下する。突起が短すぎると、発根が根付く土壌まで種子が到達せず、長すぎると種子の埋設深度が深くなり発芽率が低下するともに、突起が破損し易くなる。
【００２１】
ローラ５、７への取り付けは、溶接で固定してもよいが、螺着式などにより着脱式とすることが望ましい。突起５ａ、７ａの変形、破損した場合でも、交換が容易になる。突起５ａ、７ａの着脱式の一例を図２に示した。図２（Ａ）が突起５ａ装着時、（Ｂ）が分解（装着前）の断面模式図である。
【００２２】
図２に示すように、ローラ５が、内筒５ｈと内筒５ｈ外周に分割固定されるカバー５ｄとからなり、カバー５ｄには複数の第一貫通孔５ｅが穿設されている。突起５ａは、第一貫通孔５ｅより径の大きい頭部５ｂと第一貫通孔５ｅに挿通するピン部５ｃからなる。
【００２３】
そして、頭部５ｂが内筒５ｈとカバー５ｄの間に位置して、頭部５ｂがカバーにより係止される。また、カバー５ｄには第二貫通孔５ｆが穿設され、内筒５ｈの第二貫通孔５ｆに対応する位置にはネジ穴５ｉが穿設され、ネジ５ｋによりカバー５ｄが突起５ａの頭部５ｂを抑えつつ内筒５ｈに固定される。
【００２４】
ここでは、前ローラ５について説明したが、後ローラ７の構造も図２と同じにしてもよく、異なる形状、長さの突起７ａとしてもよい。
【００２５】
前後ローラ５、７を設ける場合には、図３に示すように、後ローラ７の突起７ａ（黒塗り）は、前ローラ５の２本の突起５ａ（白抜き）の間に位置させることが望ましい。このように互い違いに突起５ａ、７ａを設けると、一方のローラの突起の間隔の１／２の間隔で穴７ｂ（黒塗り）、５ｍ（白塗り）をグリーン１０などに穿設することができ芝を高密度で発芽させることができ、早期芝密度の回復が容易になる。また、突起５ａ，７ａの交換作業には十分な作用スペースを確保することができ作業性がよい。
【００２６】
また、突起は、同一ローラにおいて、長さが異なっても、前後ローラ５、７で異なってもよい。長さが異なれば、異なる深度の穴があき、異なる環境で発芽をすることとなり、芝密度を長期に亘って、維持できることとなり好適である。
【００２７】
さらに、図４からわかるように、後ローラ７の突起７ａの形状を、先端に向け段階的に細くすると、穴７ｂに段差部７ｃを形成でき、種子１１が段差部７ｃに位置する確立が高くなり、異なる深度に種子１１が一定頻度で分散されることとなる。
【００２８】
図４において、黒色の種子１１は、穴の穿設時にタンク８から播種した種子であり、白抜きの種子１１ａは処理以前に播種され、グリーン１０表面に発芽せずに残っていた種子である。符号１２は、枯死していない芝である。
【００２９】
タンク８は、前ローラ５と後ローラ７の間にあるため、前ローラ５の突起５ａで形成された穴５ｍには種子１１ａのみが、後ローラ７の突起７ａで形成された穴７ｂには種子１１、１１ａが共存する。そして、突起５ａ、７ａにより穿設されて穴５ｍ、７ｂの底、側壁、段差部７ｃなど異なる位置に種子１１、１１ａが埋設されることとなる。さらに、穴５ｍ、７ｂに目土（ドット）を投入すると、発芽率は高まる。発芽率向上には散水も有効である。
【００３０】
芝の種子１１は、突起５ａによる穴あけ処理の直前、さらには穴あけ処理の数ヶ月前に播種されていてもよい。種子は発芽しないで播種地に発芽率は低下するが発芽能力を完全に失わず存在し続けることができる。突起５ａ、７ａによる穴あけ処理により、それら種子を土壌に押し込む作用、土壌に空気を送る作用、目土の投入ともに排水性を改善する作用があり、芝の種子の発芽を促進する。そして、種子が発芽環境（好適な深さ）に存在した場合には発芽する。
【００３１】
図５は、前後ローラを備える芝の種子発芽促進装置で、芝の種子を同時播種することなく芝の枯れ込みが著しいグリーンを発芽促進処理（１回）した結果を示す写真である。図５（Ａ）が発芽惻隠処理実施区（平成２２年８月２３日試験）の１０日後の写真であり、図５（Ｂ）は発芽促進未処理で同期間経過後の試験区近傍の対象区の写真である。発芽促進作業（穿設、目土）の有無の違い以外、他の処理（主に散水）は極力同一にした。
【００３２】
この時の処理した前後ローラの突起の形状は、円柱と三角錐を組み合わせたもので全体長５０ｍｍ（円柱の長さ４０ｍｍ、円錐の高さ１０ｍｍ）、太さ（断面の円の直径）８ｍｍのものを使用した。そして、突起の左右の間隔３０ｍｍ、前後の間隔１５ｍｍで、後ローラの突起の位置は、前ローラの突起間の間に位置するように配置した。その結果、１度の牽引穿設処理で、グリーンには、１の突起の前後左右１５ｍｍ間隔の穴が穿設される。
【００３３】
図５（Ａ）（Ｂ）ともに、黒色部分は芝が枯死して土壌表面が露出したところで、土壌より白く見える部分が概ね芝である。図５（Ｂ）では、芝が枯死した部分の改善は全く見られず、発芽促進処理より枯死が拡大した。一方、図５（Ａ）では、黒い枯死したエリアにドット状に白く見える部分があり、ローラの突起で穿設された穴に沿って芝が発芽していることが確認できる。
【００３４】
図６は、前後ローラを備える芝の種子発芽促進装置で芝の種子を同時播種して処理した結果を示す写真である。使用した芝の種子発芽促進装置は、図５と同じであり、処理は１回である。なお、処理と同時に、図１に示す方式で種子１１をタンク８から播種して、目土を施し、所定量散水した。
【００３５】
処理図６（Ａ）は実施区、図６（Ｂ）は図６（Ａ）の拡大写真である。他より黒部分は芝が生育している部分で、他より全体的に白く見える部分は芝の枯れ葉である。ここでは、芝の枯れ葉があり、土壌表面はまだ剥き出しになっていない。
【００３６】
処理の結果、ローラに設けられた突起によって規則正しく穿設された穴位置に沿って芝の発芽が起こり、旺盛に生育していることが確認できた。なお、処理と同時に芝の種子を播種（目土なし）して同様に散水した比較地では図６のような芝の発芽は見られなかった。
【符号の説明】
【００３７】
１      芝の種子発芽促進装置
２      フレーム
２ａ    連結フレーム
２ｂ    バー
２ｃ    第一連結部材
２ｄ    軸
２ｅ    第二連結部材
２ｆ    軸
３      プレート
４      軸受け
４ａ    軸
５      前ローラ
５ａ    突起
５ｂ    頭部
５ｃ    ピン部
５ｄ    カバー
５ｅ    第一貫通孔
５ｆ    第二貫通孔
５ｈ    内筒
５ｉ    ネジ穴
５ｋ    ネジ
５ｍ    穴
６      軸受け
６ａ    軸
７      後ローラ
７ａ    突起
７ｂ    穴
８      タンク
８ａ    蓋
９      重り
１０    グリーン
１１    種子
１１ａ  種子
１２    芝
【図１】
0003166720.tif 000003
【図２】
0003166720.tif 000004
【図３】
0003166720.tif 000005
【図４】
0003166720.tif 000006
【図５】
0003166720.tif 000007
【図６】
0003166720.tif 000008